(57)【要約】本発明は、第１の通信ユニット（Ｅ１）の通信情報（Ｉ１）をこの通信ユニット（Ｅ１）に対応付けられている通信システム（Ｋ）を介して供給する方法に関する。ここで通信情報は通信可能性に関する記述を有し、この通信可能性を介して第１の通信ユニットとの通信コネクションを確立することができる。有利には第１の通信ユニット（Ｅ１）には複数の通信装置（Ｖ１１、Ｖ１２）が対応付けられており、これらの通信装置は通信可能性に関する記述に表される。通信情報を第１の通信ユニットに対応付けられてるユーザ（Ｂ１）によって、考えられる通信可能性に関する情報のみを公開するためにプロファイル（Ｐ１、Ｐ２）に統合することができる。
2005505195.tif 000002
【特許請求の範囲】
【請求項１】
通信情報を供給する方法であって、
第１の通信ユニット（Ｅ１）の通信情報（Ｉ１）を該第１の通信ユニット（Ｅ１）に対応付けられている通信システム（Ｋ１）を介して供給する、通信情報を供給する方法において、
前記通信情報は、前記第１の通信ユニットとの通信コネクションを確立する通信可能性（Ｍ１１１、Ｍ１２１、Ｍ１２２；Ｖ１１、Ｖ１２）に関する記述を有することを特徴とする、通信情報を供給する方法。
【請求項２】
前記第１の通信ユニット（Ｅ１）に複数の通信装置（Ｖ１１、Ｖ１２）を対応付け、該通信装置（Ｖ１１、Ｖ１２）を通信可能性に関する前記記述に表す、請求項１記載の方法。
【請求項３】
前記通信装置（Ｖ１１、Ｖ１２）の各々にそれぞれ１つまたは複数の通信手段（Ｍ１１１、Ｍ１２１、Ｍ１２２）を対応付け、該通信手段（Ｍ１１１、Ｍ１２１、Ｍ１２２）を通信可能性に関する前記記述に表す、請求項２記載の方法。
【請求項４】
前記通信手段（Ｍ１１１、Ｍ１２１、Ｍ１２２）の各々に通信アドレスを対応付け、該通信アドレスを通信可能性に関する記述に表す、請求項３記載の方法。
【請求項５】
前記通信手段（Ｍ１１１、Ｍ１２１、Ｍ１２２）の各々に、目下の時点において前記通信手段を介する前記第１の通信ユニット（Ｅ１）との通信コネクションを確立可能であるか否かを表すアクセス可能性情報を対応付け、該アクセス可能性情報を通信可能性に関する前記記述に表す、請求項３または４記載の方法。
【請求項６】
前記通信手段（Ｍ１１１、Ｍ１２１、Ｍ１２２）のうちの１つまたは複数の通信手段に、どの通信手段を介して前記第１の通信ユニット（Ｅ１）との通信コネクションが有利に確立されるか否かを表す優先情報を対応付け、該優先情報を通信可能性に関する前記記述に表す、請求項３から５までのいずれか１項記載の方法。
【請求項７】
前記第１の通信ユニットの通信情報（Ｉ１）はさらに、該第１の通信ユニットに対応付けられているユーザ（Ｂ１）に関するユーザ情報を有する、請求項１から６までのいずれか１項記載の方法。
【請求項８】
通信装置（Ｖ１１、Ｖ１２）の選択及び／又は通信手段（Ｍ１１１、Ｍ１２１、Ｍ１２２）の選択及び／又はユーザ情報をプレゼンスプロファイルに統合し、該プレゼンスプロファイルを別の通信ユニット（Ｅ２）による問合せのために公開する、請求項２から５までのいずれか１項記載の方法。
【請求項９】
前記第１の通信ユニット（Ｅ１）に複数の異なるプレゼンスプロファイル（Ｐ１、Ｐ２）を対応付ける、請求項８記載の方法。
【請求項１０】
前記第１の通信ユニット（Ｅ１）の通信情報（Ｉ１）を前記第２の通信ユニット（Ｅ２）が前記通信システム（Ｋ）を介して問合せ、伝送させ及び／又は処理する、請求項１から９までのいずれか１項記載の方法。
【請求項１１】
前記第２の通信ユニット（Ｅ２）は、前記通信情報（Ｉ１）を問合せ、伝送させ、及び／又は処理する前に認証を実行する、請求項１０記載の方法。
【請求項１２】
前記第２の通信ユニット（Ｅ２）に、第１の通信ユニットまたは別の通信ユニットの通信情報から成る記述を第２の通信ユニット（Ｅ２）に伝送すべき所定の通信装置及び／又は通信手段及び／又はユーザ情報の選択が表されている１つまたは複数の伝送プロファイルを対応付ける、請求項１０または１１記載の方法。
【請求項１３】
前記第１の通信ユニット（Ｅ１）に、別の通信ユニットの通信情報から成る記述を前記第１の通信ユニット（Ｅ１）に伝送すべき所定の通信装置及び／又は通信手段及び／又はユーザ情報の選択が表されている１つまたは複数の伝送プロファイル（Ｗ１、Ｗ２）を対応付ける、請求項８から１２までのいずれか１項記載の方法。
【請求項１４】
前記第１の通信ユニット（Ｅ１）に、それぞれ所定のプレゼンスプロファイル（Ｐ１、Ｐ２）及び所定の伝送プロファイル（Ｗ１、Ｗ２）から成る１つまたは複数の使用者プロファイル（Ａ１、Ａ２）を対応付ける、請求項１３記載の方法。
【請求項１５】
前記第１の通信ユニット（Ｅ１）の通信情報（Ｉ１）、プレゼンスプロファイル（Ｐ１、Ｐ２）、伝送プロファイル（Ｗ１、Ｗ２）及び／又は使用者プロファイル（Ａ１、Ａ２）を通信システム（Ｋ）に記憶する、請求項８から１４までのいずれか１項記載の方法。
【請求項１６】
前記プレゼンスプロファイル（Ｐ１、Ｐ２）及び／又は伝送プロファイル（Ｗ１、Ｗ２）及び／又は使用者プロファイル（Ａ１、Ａ２）のうちの１つの所定のプロファイルを、通信システム（Ｋ）を介して供給するために前記第１の通信ユニットに対応付けられているユーザ（Ｂ１）が選択する、請求項９から１５までのいずれか１項記載の方法。
【請求項１７】
前記プレゼンスプロファイル（Ｐ１、Ｐ２）及び／又は伝送プロファイル（Ｗ１、Ｗ２）及び／又は使用者プロファイル（Ａ１、Ａ２）のうちの１つの所定のプロファイルを、通信システム（Ｋ）を介して供給するために所定の判定基準に応じて該通信システム（Ｋ）が選択する、請求項９から１５までのいずれか１項記載の方法。
【請求項１８】
前記所定の判定基準は時間区分、曜日、または第１の通信ユニットに対応付けられているユーザ（Ｂ１）の所在地を示す、請求項１７記載の方法。
【請求項１９】
前記ユーザ情報は前記ユーザの精神的または身体的状態を包含する、請求項７から１８までのいずれか１項記載の方法。
【請求項２０】
前記通信装置（Ｖ１１、Ｖ１２、Ｖ２１）のうちの１つは、移動電話、固定網電話、携帯可能なコンピュータ、定置のコンピュータまたはページャを包含する、請求項１から１９までのいずれか１項記載の方法。
【請求項２１】
前記通信手段（Ｍ１１１、Ｍ１２１、Ｍ１２２、Ｍ２１１、Ｍ２１２）のうちの１つは、テレフォニ、インスタントメッセージングサービス、ＭＭＳ、ＳＭＳ、Ｅメールサービスまたはファックスサービスを包含する、請求項１から２２までのいずれか１項記載の方法。
【請求項２２】
前記通信システム（Ｋ）は移動無線網、電話網及び／又はインターネットプロトコルを基礎とする通信網を有する、請求項１から２１までのいずれか１項記載の方法。
【請求項２３】
前記通信システム（Ｋ）はプレゼンスサービスを有する、請求項１から２２までにいずれか１項記載の方法。
【請求項２４】
例えば請求項１から２３までのいずれか１項記載の方法を実施する通信システム（Ｋ）において、
該通信システム（Ｋ）に対応付けられている第１のユーザ（Ｂ１）の第１の通信ユニット（Ｅ１）との通信コネクションを確立できる通信可能性（Ｍ１１１、Ｍ１２１、Ｍ１２２；Ｖ１１、Ｖ１２）に関する記述を有する通信情報（Ｉ１）が記憶される構成要素を有することを特徴とする、通信システム（Ｋ）。
【請求項２５】
前記構成要素には、前記第１の通信ユニットに対応付けられている通信装置（Ｖ１１、Ｖ１２）の選択及び／又は通信手段（Ｍ１１１、Ｍ１２１、Ｍ１２２）の選択及び／又は第１のユーザ（Ｂ１）に関するユーザ情報から成り、前記第１の通信ユニット（Ｅ１）の通信情報（Ｉ１）として供給される１つまたは複数のプレゼンスプロファイル（Ｐ１、Ｐ２）が記憶される、請求項２４記載の通信システム。
【請求項２６】
前記構成要素には、他の通信ユニットの通信情報から成る記述を前記第１の通信ユニット（Ｅ１）に伝送すべき所定の通信装置及び／又は通信手段及び／又はユーザ情報の選択が表されている１つまたは複数の伝送プロファイル（Ｗ１、Ｗ２）が記憶される、請求項２４または２５記載の通信システム。
【請求項２７】
前記構成要素には、それぞれ所定のプレゼンスプロファイル（Ｐ１、Ｐ２）及び所定の伝送プロファイル（Ｗ１、Ｗ２）から成る１つまたは複数の使用者プロファイル（Ａ１、Ａ２）が記憶される、請求項２４から２６までのいずれか１項記載の通信システム。
【請求項２８】
さらに、前記構成要素に記憶される１つまたは複数のプロファイルを前記通信システム（Ｋ）を介して供給するために選択する選択装置を有する、請求項２５から２７までのいずれか１項記載の通信システム。
【請求項２９】
前記選択手段は、前記第１のユーザ（Ｂ１）の指示に基づき、または、時間区分、曜日または該第１のユーザ（Ｂ１）の所在地に依存して自動的に選択を実施する、請求項２８記載の通信システム。
【請求項３０】
例えば請求項１から２３までのいずれか１項記載の方法を実施する通信装置において、
通信ユニット（Ｅ１）の通信情報（Ｉ１）を該通信ユニットに対応付けられている通信システム（Ｋ）へと及び／又は通信システム（Ｋ）から伝送する装置を有することを特徴とする、通信装置。
【請求項３１】
さらに通信ユニット（Ｅ１）の前記通信情報（Ｉ１）を表示及び変更する装置を有する、請求項３０記載の通信装置。
【請求項３２】
さらに通信ユニット（Ｅ１）の所定の通信情報（Ｉ１）をプロファイル（Ｐ１、Ｐ２、Ｗ１、Ｗ２、Ａ１、Ａ２）に統合する装置を有する、請求項３０または３１記載の通信装置。
【請求項３３】
さらに前記プロファイル（Ｐ１、Ｐ２、Ｗ１、Ｗ２、Ａ１、Ａ２）のうちの１つまたは複数のプロファイルを選択する装置を有する、請求項３２記載の通信装置。
【発明の詳細な説明】
【技術分野】
【０００１】
本発明は、ユーザの通信ユニットに関する通信情報をこの通信ユニットに対応付けられている通信システムを介して供給する方法に関する。ここで通信ユニットは例えば移動電話、固定網電話、携帯可能なコンピュータまたは定置のコンピュータのようなユーザが使用する通信装置全般と解される。さらに本発明は本方法を実施するための通信システム及び通信装置に関する。
【０００２】
殊にＧＳＭ（Global System for Mobile Communication）規格による従来のアプリケーションは通信パートナーの状態を知ることなく行われる。発呼が行われて、イニシエータ（発呼者またはＳＭＳ／ＭＭＳ送信者）は受信側（被呼者またはＳＭＳ／ＭＭＳ受信者）の状態を知ることなく、すなわち殊に受信側のユーザ端末装置が投入接続されているか否かにそもそも依存せずに、ＳＭＳ（ショート・メッセージ・サービス）サービスの枠内でショットメッセージ（ＳＭ）が送信される、またはＭＭＳ（マルチメディア・メッセージ・サービス）のマルチメディアメッセージが送信される。すなわちこの際、イニシエータは受信側がそもそも例えば緊急のメッセージを受け取るか否かについて確信を持てないことが欠点として明らかになる。
【０００３】
日本ではｉモードの範囲で「Ｅメール」と称される移動無線環境におけるサービスが使用されるが、この「Ｅメール」はインターネットＥメールを行えない。このサービスはチャットまたはインスタントメッセージング（「インスタントメッセージング」とはプレゼンス情報ないしＰｒｅｓｅｎｃｅ情報を基礎として行われる「インスタントメッセージング及びプレゼンス」サービスを用いるテキストメッセージの即時の交換である）のように使用される（RFC 2778 "A Model for Presence and Instant Messaging", M.Day, J. Rosenberg, H.Sugano, Februrary 2000 (http://www.itef.org/rfc/rfc2778.txt?number=2778)及びRFC 2779 "Instant Messaging / Presence Protocol Requirements", M. Day, S.Aggarwal, G.Mohr, J.Vicent, February 2000 (http://www.itef.org/rfc/rfc2779.txt?number=2779)を参照されたい）。極めて固有の規格のもとでユーザにメッセージ及びプレゼンス通知の交換を実現させる、プレゼンス指向の通信手段が取り扱われる。ここでは、ユーザによって選択された通信パートナがユーザ移動電話の表示部にユーザの相応の状態と合わせて一覧表示される。選択された各加入者についてユーザは目下の状態、例えばｉモード利用者にこのｉモードの利用者の移動電話を介してアクセスできるか否かを知ることができる。これに加えユーザ間では気分のイメージ（Stimmungsbild）（ハッピー、忙しいなど）が交換される。
【０００４】
このような通信サービスでは、ユーザが選択した加入者は目下その加入者の移動電話を介してアクセスできないという情報を受け取った場合、ユーザは選択した加入者と例えばこの加入者に緊急のメッセージを伝送するために択一的な通信媒体ないし通信手段を介してアクセスする可能性を持たないことが欠点として明らかになる。
【０００５】
したがって本発明の課題は、選択された加入者とのアクセス可能性が改善される方法及び装置を提供することである。
【０００６】
この課題は、方法に関しては請求項１記載の特徴によって、通信システムに関しては請求項２４の特徴によって、通信装置に関しては請求項３０記載の特徴によって解決される。本発明の有利な実施形態は従属請求項に記載されている。
【０００７】
本発明による方法では、第１のユーザの第１の通信ユニットに関する通信情報がこの第１の通信ユニットに対応付けられている通信システムを介して供給される。通信情報は第１の通信ユニットとの通信コネクションを確立できる通信経路ないし通信手段に関する記述を有する。通信情報が第１の通信ユニットと通信できる通信可能性全体または所定の通信可能性に関する記述を内容とすることによって、通信情報に基づき所定の通信可能性を使用できないことを知る別のユーザは、所定の択一的な通信可能性を選択することができる。したがって、通信システムから所定の加入者ないしユーザは電話でアクセスできるか否かという情報しか受け取ることができない従来技術に比べ、例えば選択された加入者ないしユーザに緊急のメッセージを送信するためにこの選択された加入者ないしユーザとの通信コネクションを確立するためにどの別の通信可能性を使用できるかが付加的に表される。
【０００８】
通信装置と通信手段の概念上の区別は以下の例において明らかにする。「電話」は通信装置であり、これに対し「テレフォニ」は通信媒体ないし通信手段である。古典的な固定網電話ではテレフォニのみが可能であり、これに対し通信装置「移動電話」は既に今日では通常の場合少なくとも２つの通信手段、「テレフォニ」及び「ＳＭＳ」を支援する。
【０００９】
通信ユニットの概念は上述したように、ユーザが使用する通信装置全般、すなわち最小限の場合には単に通信装置と解するものである。通信装置の概念は加入者端末機器ないしユーザ端末機器全般と解され、これらの端末機器を用いてユーザは通信サービスを介して別の通信ユニットの別の通信装置との通信コネクションを確立することができる。通信装置は移動電話、固定網電話、ファックス装置、携帯可能なコンピュータ、定置のコンピュータ、ページャなどを包含することができる。殊に、第１の通信装置の有利な実施形態により通信可能性に関する記述に表される複数の第１の通信装置が第１の通信ユニットに対応付けられる場合には、第１の通信ユニットとコンタクトを取ろうとするユーザは、有利なやり方で種々のタイプを包含する所定の通信装置との通信を適応させることができる。例えばユーザが第１の通信ユニットにマルチメディアメッセージを送信ないし受信するために設計されている通信装置が対応付けられていることを確認すると、ユーザはこの第１の通信ユニットが最も適したもの見なされる場合には、マルチメディアメッセージを第１の通信ユニットに送信することができる。
【００１０】
有利な実施形態によれば、（第１の）通信装置の各々には通信可能性に関する記述に表される１つまたは複数の通信手段が対応付けられている。対応付けられているそれぞれの通信手段と接続されている通信装置全体が通信ユニットの通信可能性をもたらす。通信手段ないし通信媒体の概念は、例えばテレフォニ、ファックス、Ｅメール、ＳＭＳ、ＭＭＳ、インスタントメッセージングなどのような通信装置を相互に通信できるようにする全体のサービスと解される。通信手段は一義的に応答することができるので、通信手段の各々には通信アドレスが割り当てられ、この通信アドレスは同様に通信可能性に関する記述に表される。有利には通信手段の各々にはアクセス可能性情報が割り当てられる。このアクセス可能性情報は現時点でそれぞれの通信手段を介して（第１の）通信ユニットとの通信コネクションを確立することができるか否かを表す。アクセス可能性情報は通信可能性に関する記述に表される。アクセス可能性情報は例えば「アクセス可能」（「オンライン」）、「アクセス不能」（「オフライン」）のような値を包含することができる。さらにアクセス可能性情報には表示属性を割り当てることができ、この表示属性は通信情報を別のユーザの通信装置の表示部に表すべき場合に、アクセス可能性情報ないし対応付けられている通信手段及び／又は対応付けられている通信装置をどのように表示すべきか（色で強調する、下線によって強調する、イタリック体で強調するなど）を表す。
【００１１】
本発明の有利な実施形態によれば、（第１の）通信手段のうちの１つまたは複数の通信手段には優先情報が割り当てられ、この優先情報はどの通信手段を介して有利に（第１の）通信ユニットとの通信コネクションを確立することができるかを表す。優先情報はやはり通信可能性に関する記述に表される。したがって第１の通信ユニットの（第１の）ユーザは、ユーザがアクセスできる考えられる通信可能性のみを表すのではなく、さらにはどの通信手段及び／又はどの通信アドレスを介して、したがってまたどの通信装置を介して別のユーザによって通信コネクションを有利に確立できるかも決定できる。例えば、第１のユーザは終日オフィスの机で作業をしているので、このユーザは昼間オフィスにおいて「固定網電話」を介する通信手段「テレフォニ」によって、また「定置のコンピュータ」を介する「インスタントメッセージング」によってコンタクトを取ることを好む可能性もある。
【００１２】
別の有利な実施形態によれば、第１の通信ユニットの通信情報はさらに第１の通信ユニットに対応付けられているユーザに関するユーザ情報を有することができる。このユーザ情報は例えばユーザの身体的または精神的な状態（ハッピー、ストレス、病気など）に関する記述を包含することができる。ユーザ情報は例えばテキスト及び／又は相応のピクトグラムの形態で表すことができる。
【００１３】
別の有利な実施形態によれば、所定の（第１の）通信装置の選択及び／又は所定の（第１の）通信手段の選択及び／又はユーザ情報をプレゼンスプロファイル（Presenc-Profile）に統合することができ、このプレゼンスプロファイルは別の通信ユニットによる問合せのために公開される。このことは、（第１の）通信ユニットの使用される考えられる通信情報のサブセットないし所定の組合せを第１のユーザがプレゼンスプロファイルに格納できることを意味している。したがって「公表」ないし別の通信ユニットからの問い合わせについて所定の通信情報を公開するために、第１の通信ユニットのユーザは所定のプレゼンスプロファイルをアクティブにするだけで良く、最初に所定の通信情報をマニュアルで作成する必要はない。
【００１４】
ここでプレゼンスプロファイルを規定する際に生じる利点を別の観点で説明する。別のユーザとコンタクトを取ろうとするユーザが従来のプレゼンスサービスによって、別のユーザがこの別のユーザの加入者端末機器を介して「アクセス可能」または「アクセス不能」であるか否かという情報のみを得るのに対し、本発明によればユーザは、別の通信装置または通信手段のいずれかを別のユーザが使用するかを表す別の情報ないし通信情報を得る。したがって本発明によれば、例えばユーザのアクセス可能性に関する動的な情報が、ユーザが使用する通信装置に関する静的な情報と組み合わせられる。例えばオフィスにおける第１の固定網電話、第１の定置のコンピュータ、第１のファックス装置及び第１の移動電話、並びに家ないし余暇における第２の固定網電話、第２の定置のコンピュータ及び第２の移動電話のような複数の通信装置ないし加入者端末機器を使用するユーザを考察すると、少なくとも固定網電話またはファックス装置のような電話網と接続されている通信装置は通常の場合、属性「アクセス可能」ないし「オンライン」を常に得ることになる。
【００１５】
すなわちこのことから分かるように、使用可能な通信装置に関する静的な情報と結びついたアクセス可能性に関する動的な情報は、ユーザの「実際の」アクセス可能性を表すためには十分ではない。むしろ「実際の」アクセス可能性は、例えば昼間はユーザは高い確率で上述したように第１の固定網電話、第１の定置のコンピュータ、第１のファックス装置または第１の移動電話を使用するオフィスにおり、他方では晩または週末には第２の固定網電話、第２の定置のコンピュータ、第２の移動電話を介してアクセスできる自宅にいるという、時間区分、ユーザの所在地などのような「ほぼ静的な」条件と結合されている。すなわちこの「ほぼ静的な」条件を考慮するために、通信ユニットのユーザは所定の通信装置ないし所定の通信手段を、所定の場所または所定の時点におけるユーザのアクセス可能性が保証または改善されることを実現するプレゼンスプロファイルに統合することができる。例えば、別個に昼間またはオフィスにおけるユーザのアクセス可能性を表すプレゼンスプロファイルを規定することができるか、晩または余暇におけるユーザのアクセス可能性を表すプレゼンスプロファイルを規定することができる。上述したように、場所固有または時間区分固有の情報を供給するために相応のプレゼンスプロファイルのみをアクティブにし、後に再び非アクティブにするだけで良い。
【００１６】
本発明の有利な実施形態によれば、第１の通信ユニットから供給される通信情報を第２のユーザの第２の通信ユニットが通信システムを介して問い合わせ、伝送させ及び／又は処理することができる。殊に本発明による方法は一般的に通信コネクションを確立するための方法に組み込むことができる。第１のユーザが通信システムにおいて使用する通信可能性に関するこのユーザに対応付けられた通信情報を供給した後では、この通信情報を第２のユーザは問合せて分析することができる。続いて第２のユーザは、通信コネクションを確立するために、第１のユーザが使用する通信可能性のいずれかの通信可能性を利用したいかを選択する。通信コネクションは、例えば第２のユーザから第１のユーザへの電話コネクションが確立されることによって、または任意の種類の一般的なデータないしメッセージが２人のユーザ間ないしこれらのユーザに対応付けられている通信ユニットの間で伝送されることによって実現することができる。メッセージはテキスト、音声、オーディオメッセージ、画像メッセージ、ビデオメッセージ、（ＳＭＳによる）ショートメッセージ、（ＭＭＳによる）マルチメディアメッセージなどの形態で存在するもので良い。
【００１７】
第２の通信ユニットのユーザが、このユーザの使用する通信装置ないし通信手段に適応されている第１の通信ユニットまたは別の通信ユニットの通信情報のみを得るために、第２の通信ユニットのユーザが、第１の通信ユニットまたは別の通信ユニットの通信情報からなる記述を第２の通信ユニットに伝送すべき所定の通信装置及び／又は通信手段及び／又はユーザ情報の選択が表されている伝送プロファイル（「ウォッチャプロファイル（Watcher-Profil）」）を規定する場合には有利である。すなわち第２の通信ユニットのユーザは、情報／メッセージを得たい選択された通信情報のサブセットないし所定の組合せを伝送プロファイルに統合することができる。殊に、第１の通信ユニットのユーザは考えられる複数の通信装置及び通信手段を使用するが、第２の通信ユニットのユーザは限定的にしか通信装置または通信手段を使用しない場合には、第２の通信ユニットのユーザは「能力」に応じる通信情報のみが伝送されるように自身の伝送プロファイルを作成する。第２の通信ユニットがテレフォニ及びＳＭＳ機能を備えた移動電話のみを有する場合には、第２の通信ユニットに対応付けられている伝送プロファイルは有利にはこのような通信装置ないし通信手段に関する記述のみを包含する。
【００１８】
しかしながらプレゼンスプロファイルと同様に、所期の「ほぼ静的な」条件において、該当するそれぞれの通信ユニットのユーザに適応されている複数の伝送プロファイルが通信ユニットに対応付けられることも考えられる。つまりここでもやはり、第２の通信ユニットのユーザが時間区分または所在地に応じてそれぞれの伝送プロファイルを規定することも可能である。ユーザが例えばファックス装置を使用するオフィスにいる場合には、昼間アクティブにすべき伝送プロファイルにファックスサービスを通信手段として設け、他方ではファックス装置を使用しない晩または余暇の間はファックスサービスを内容としない別の伝送プロファイルを規定する。
【００１９】
また既に１つまたは複数のプレゼンスプロファイルが対応付けられている第１の通信ユニットに、第２の通信ユニットに対応付けられている伝送プロファイルと一致する１つまたは複数の伝送プロファイルも対応付けられることがさらに考えられる。
【００２０】
別の有利な実施形態によれば、第１の通信ユニットにはそれぞれ所定のプレゼンスプロファイル及び所定の伝送プロファイルからなる１つまたは複数の使用者プロファイル（「クライアントプロファイル（Cliant-Profile）」）が対応付けられる。使用者プロファイルを規定することによって、ユーザの快適性をさらに向上させることができる。何故ならばユーザは簡単なやり方及び僅かな手間で、供給すべき及び問い合わせられるべきデータを時間区分ないし所在地のようなほぼ静的な条件に適応させることができるからである。要約すれば、プレゼンスプロファイル、伝送プロファイルまたは使用者プロファイルのような所定のプロファイルを規定及び使用することによって、僅かなリソースを使用して高速且つ簡単に、供給すべきないし問い合わせられるべき通信情報を変更することができる。さらに事前に規定されたプロファイルをアクティブまたは非アクティブするための命令を、通信情報全体が符号化されるべき場合よりも実質的にコンパクトに符号化することができる。後者は殊に移動無線システムの場合、またここで強調するとリソースがエアインタフェースに関して殊に高価であるローミングの場合には有利である。ローミングは移動無線加入者が外国の移動無線網における通話及び／又はデータ伝送を行った場合、すなわち加入者に対応付けられている移動無線網プロバイダとは異なるネットワークに存在する場合に生じる。
【００２１】
通信ユニットに関するそれぞれのプレゼンスプロファイル及び／又は伝送プロファイル及び／又は使用者プロファイルが一度決定されているならば、これらのプロファイルを本発明の有利な実施形態によれば、相応の通信ユニットが対応付けられている通信システムの構成要素に記憶することができる。それぞれのプロファイルは通信システムを介して所定の通信情報を供給するためまたは所定の通信情報を問い合わせるために、相応の通信ユニットのユーザによって直接に選択できる、ないしアクティブまたは再び非アクティブにもすることができる。さらにプロファイルを通信システム自体によって、すなわち所定の判定基準に応じて自動的に選択することができる。判定基準は時間区分、曜日または所定の通信ユニットに対応付けられているユーザの所在地を示す。ここで所在地を、通信システムが通信ユニットのいずれの通信装置によって通信コネクションが確立されるか、または確立すべきかを監視することによって検出することができる。例えばユーザのオフィスにおける固定網電話によって通話が行われる場合には、通信システムは相応のユーザないしユーザの通信ユニットの全ての「オフィス」プロファイルを、通話が今現在行われている時点が「オフィス」プロファイルのアクティブ化に関して適切な曜日でない場合（例えば土曜日または日曜日）または適切な時間区分（例えば２３時）でない場合であっても即座にアクティブにする。
【００２２】
使用される通信装置に応じて通信システムは移動無線網、電話網及び／又はインターネットプロトコルを基礎とする通信網のような通信網を有する。移動無線に対応付けられている通信ユニットの移動無線網並びに通信装置はＧＳＭ、ＵＭＴＳ（Universal Mobile Telecomunication System）規格などに応じて動作する。有利な実施形態によれば通信システムはさらに「Instant Messaging and Presence」サービスないし「インスタントメッセージング及びプレゼンス」サービスを有し、このサービスは通信ユニットの種々の規定されたプロファイルを包含する通信情報を管理する。このサービスはさらに、それぞれの通信ユニットの通信情報におけるアクセス可能性情報のような動的な情報を作成するために、または上述したように通信ユニットのユーザの所在地を確認するために、通信ユニットの通信コネクションを監視することができる。殊に、移動電話の使用に基づきユーザの目下の所在地を推量するために、通信システムはこのユーザの移動電話の位置確認を移動無線網（例えばＵＭＴＳ網）の位置決定サービスを使用することによって行うことができる。
【００２３】
本発明の別の観点によれば、殊に本発明による方法を実施することに適しており、通信システムに対応付けられている第１のユーザの第１の通信ユニットとの通信コネクションを確立することができる、通信可能性に関する記述を有する通信情報を記憶できる構成要素を有する、通信システムが達成される。
【００２４】
有利には、通信システムの構成要素には１つまたは複数のプレゼンスプロファイルを記憶することができ、このプレゼンスプロファイルは、別の通信ユニットによる問合せのために公開される第１の通信ユニットに対応付けられている通信装置の選択及び／又は通信手段及び／又は第１のユーザに関するユーザ情報からなる。さらに通信システムの構成要素には１つまたは複数の伝送プロファイルを記憶することができ、この伝送プロファイルには他の通信ユニットの通信情報から成る記述を第１の通信ユニットに伝送すべき所定の通信装置及び／又は通信手段及び／又はユーザ情報の選択が表されている。有利には構成要素にさらに、それぞれ所定のプレゼンスプロファイル及び所定の伝送プロファイルからなる１つまたは複数の使用者プロファイルを記憶することができる。
【００２５】
有利な実施形態によれば、通信システムは構成要素に記憶されている上述のプロファイルのうちの１つまたは複数のプロファイルを選択ないしアクティブ及び再度非アクティブにする選択装置を有する。選択装置は第１のユーザの指示に基づき、または時間区分、曜日、第１のユーザの所在地などに依存して自動的にプロファイルの選択ないしアクティブ化を実施することができる。
【００２６】
本発明の別の観点によれば、通信ユニットの通信情報を通信ユニットに対応付けられている通信システムのうちの１つへ及び／又は通信システムのうちの１つから伝送するための装置を有する、殊に本発明による方法を実施するための通信装置が達成される。このことは、通信装置を用いることにより通信ユニットの通信情報を、供給のために通信システムに伝送することができ、及び／又は、他方では別の通信ユニットの通信情報を通信システムが問い合わせ、この通信システムから伝送することができることを意味している。さらに有利には通信装置は、通信情報を処理ないし表示及び変更できる装置を有する。さらに、通信装置が通信ユニットの所定の通信情報をプロファイルに統合するための装置を有する。複数のプロファイルが規定されていたならば、通信装置がプロファイルのうちの１つまたは複数のプロファイルを選択ないしアクティブ化するための装置を有する場合には有利である。
【００２７】
本発明の有利な実施形態を以下では付属の図面に関連させて詳細に説明する。ここで、
図１は、プレゼンスサービスの論理的なユニットの概略図であり、
図２は、通信システムを介して第２の通信ユニットと接続されている第１の通信ユニットの概略図であり、
図３は、プロファイル「オフィス」に統合されている、ユーザに対応付けられている通信ユニットの通信情報の図であり、
図４は、プロファイル「余暇」に統合されている、ユーザに対応付けられている通信ユニットの通信情報の図である。
【００２８】
図１に示されているような、ＩＥＴＦ（Internet Engineering Task Force）の一般的なフレームモデルによるプレゼンスシステムでは、プレゼンス情報８が第１のユニット、いわゆる「プレゼンティティ（PRESENTITY）」２と第２のユニット、いわゆる「ウォッチャ（WATCHER）」４との間で交換される。プレゼンス情報は通信装置に対応付けられているプレゼンティティの通信手段を介する通信装置（例えばテレフォニを介する移動電話）に関するプレゼンティティのアクセス可能性ないし気分のイメージを表す。プレゼンティティ２は加入者またはアプリケーションプログラムによって表され、プレゼンティティ２に関するプレゼンス情報８を供給ないし公開するユニットである。ウォッチャ４は、同様に加入者またはアプリケーションプログラムによって表され、他のユニットないし他の加入者のプレゼンス情報８を受信するために使用されるユニットである。プレゼンティティ２はプレゼンス情報８を通信システムを介して供給し、この通信システムはプレゼンス情報を伝送するためないしプレゼンス情報を管理するためにプレゼンスサービス６を有する。通信システムは、下記でさらに詳細に説明するように、種々の通信装置間の通信コネクションないし種々の通信手段を介する通信コネクションを実現するために１つまたは複数の通信網を包含することができる。通信網を「ゲートウェイ」のような別個の装置によって相互に接続することができる。ウォッチャ４（第２のユニット）はプレゼンティティ２（第１のユニット）のプレゼンス情報にアクセスすることができ、アクセスはアクセス制御または認証のような所定のセキュリティ措置を克服した後に初めて許可されている。一方ではウォッチャ４はアクティブ且つ明示的にプレゼンティティ２のプレゼンス情報を照会または問い合わせることができ、他方ではウォッチャ４にはプレゼンティティ２のプレゼンス情報のステータスが変更された場合には、プレゼンスサービス６によってこの変更に関してメッセージを通知することができる。
【００２９】
この簡潔ないし抽象的なプレゼンスシステムは本発明によれば、図２に概略的に示されているように拡張すべきものである。
【００３０】
図面の上の部分において見て取れるように、第１のユーザＢ１には第１の通信ユニットＥ１が対応付けられている。通信ユニットＥ１はユーザＢ１が使用する通信装置全般を表し、図示した場合では装置Ｖ１１及びＶ１２である。この通信装置は例えば定置のコンピュータ、携帯可能なコンピュータ、移動電話または固定網電話を包含することができる。
【００３１】
通信装置Ｖ１１及びＶ１２には通信手段ないし通信媒体Ｍ１１１ないしＭ１２１及びＭ１２２が対応付けられている。この通信手段は、第１の通信ユニットＥ１が情報またはメッセージを通信システムＫへと、または通信システムＫを介して別の通信ユニットへと伝送する、ないし通信システムＫまたは別の通信ユニットから受信できるようにするサービスを表す。これらの手段はテレフォニ、インスタントメッセージングサービス、ＭＭＳ、ＳＭＳ、Ｅメールサービスまたはファックスサービスを包含することができる。
【００３２】
第１のユーザＢ１はこのユーザＢ１の通信ユニットＥ１に関する情報及びこの通信ユニットＥ１に対応付けられているＶ１１及びＶ１２ないし相応の通信手段Ｍ１１１ないしＭ１２１及びＭ１２２に関する情報を作成ないし編成することができ、またこれらの情報を通信システムの構成要素に記憶ないし格納することを指示できる。有利には、通信ユニットＥ１のこれらの情報ないし通信情報の管理は、例えば「インスタントメッセージング及びプレゼンス（Instant Messaging and Presence）」サービスのようなプレゼンスサービスによって行われる。通信情報は、通信装置に対応付けられている通信手段を介する通信装置に関する通信ユニットのアクセス可能性を表す上述のプレゼンス情報の他にないしプレゼンス情報に付加的にむしろ、それぞれ対応付けられている通信手段と接続されている通信装置全般または通信装置の所定の選択、したがって通信ユニットの使用可能な通信可能性を表すことを言及しておく。
【００３３】
第１の通信ユニットＥ１のアクセス可能性を最適化するために、所定の通信情報Ｉ１がいわゆるプレゼンスプロファイルＰ１及びＰ２に統合され、これらのプレゼンスプロファイルＰ１及びＰ２には例えば時間区分、曜日またはユーザＢ１の所在地に依存して、第１の通信ユニットＥ１したがってユーザＢ１に有利にまたは最善にアクセスできる通信手段ないし通信装置が表されている。
【００３４】
プレゼンスプロファイルＰ１及びＰ２の他に通信システムＫにはさらに、いわゆる伝送プロファイルＷ１及びＷ２が記憶ないし格納されており、この伝送プロファイルによって第１のユーザＢ１はどの通信情報が自身へと別の通信ユニットから伝送されるべきかを確定することができる。伝送プロファイルＷ１及びＷ２は同様にやはり時間区分、曜日またはユーザＢ１の所在地に適応されており、ユーザが他のユニットから自身の（今現在の）性能環境に対応する通信情報のみを受け取ることが保証される。
【００３５】
ユーザＢ１はさらに所定のプレゼンスプロファイル及び伝送プロファイルをいわゆる使用者プロファイルに統合することができ、図２に示されているように、プレゼンスプロファイルＰ１及び伝送プロファイルＷ１は使用者プロファイルＡ１に統合されており、またプレゼンスプロファイルＰ２及び伝送プロファイルＷ２は使用者プロファイルＡ２に統合されている。
【００３６】
これらのプロファイルを規定することによって、ユーザＢ１は簡単なやり方で一方では、通信情報Ｉ１を他の通信ユニットに公開するために（プレゼンスプロファイル）、または別の通信ユニットから通信情報Ｉ１を受信するために（伝送プロファイル）簡単に選択ないしアクティブ及び後に再度非アクティブにすることができる。使用者プロファイルを使用することによってこの快適性はさらに向上される。殊に移動無線システムでは、プロファイルのアクティブ化には極僅かなリソースが要求されるので、事前に規定されたプロファイルに関する所定の通信情報の選択の可能性は有利である。
【００３７】
通信システムを介して供給される第１の通信ユニットＥ１の通信情報を、第２のユーザＢ２の第２の通信ユニットＥ２が問合せ、伝送させまたは処理することができる。
【００３８】
しかしながらその前に第２のユーザは、第１のユーザＢ１または別のユーザが通信情報を受信したいことをシグナリングするために、通信システムＫないし通信情報を管理するこの通信システムＫの構成要素とコンタクトを取る必要がある。このことはユーザが相応に適応されたシグナリングプロシージャによって通信システムへの発呼、ＳＭＳを用いるショートメッセージの送信、Ｅメールの送信などによって実行することができる。同様に第２のユーザＢ２は先ず、第１のユーザＢ１の通信情報Ｉ１にアクセスする権限を得る前に、認証のようなセキュリティコントロールを受ける。有利には第２の通信ユニットＥ２は１つまたは複数の伝送プロファイル（図示せず）を規定することができ、この伝送プロファイルによって第１の通信ユニットＥ１の所定の通信情報のみが伝送される。図面から見て取れるように、第２の通信ユニットＥ２には通信手段Ｍ２１１及びＭ２１２を使用する通信装置Ｖ２１が対応付けられており、これらの通信手段を介して情報またはメッセージを通信システムＫまたは第１の通信ユニットＥ１に伝送することができ、ないし通信システムＫまたは第１の通信ユニットＥ１から受信することができる。第２の通信ユニットＥ２ないし第２のユーザＢ２は相応のプロファイルを第１の通信ユニットＥ１のように通信システムＫに格納ないし記憶することができる。
【００３９】
ここで本発明により使用されるプレゼンスシステムの概略図に従い、通信情報を説明するないし供給するための実施形態を図３及び図４に基づいて説明する。
【００４０】
図２に関して既に言及したように、通信ユニットの通信情報は有利には通信システムに記憶される。１つまたは複数の通信網を有することができる通信システムには、通信情報を管理する例えば「インスタントメッセージング及びプレゼンス」サービスが設けられている。ユーザに対応付けられている通信ユニットの通信情報を例示的に表したものでは、それぞれの通信情報がファイル構造に配置されており、「テレフォニ」、「インスタントメッセージング」、「ＭＭＳ」、「ＳＭＳ」、「Ｅメール」及び「ファックス」のような通信手段に応じて仕分けられている。通信手段の右側の列にはそれぞれ通信アドレスが表されており、これらの通信アドレスを介して所定の通信装置に依存して通信コネクションを確立することができる。例えば通信手段「テレフォニ」の横には種々の電話番号（移動電話を介するテレフォニの場合には殊にＭＳＩＳＤＮ番号（Mobile Service ISDN Number番号；ＩＳＤＮ：Integrated Service Digital Network））が通信アドレスとして表されている。通信アドレスの右隣の列には各通信手段についてのアクセス可能性情報が存在し、このアクセス可能性情報は通信ユニットがそれぞれの通信手段を介して「アクセス可能」または「アクセス不能」であるか否かを表す。
【００４１】
アクセス可能性情報の右隣の列には通信の接続タイプないし通信装置の指定が表されており、これらを用いて左側に表されている通信手段及びその左側に表されている通信アドレスを介して通信コネクションを確立することができる。したがって「固定網、業務用」、「モバイル、業務用」、「モバイル、私用」、「固定網、私用」のような通信装置の指定によって、固定網電話または移動電話が業務用または私用の目的であるか否かを確定することができる。「インスタントメッセージング、私用」の指定は私用の目的のために使用される携帯可能なコンピュータを表すことができる。さらに「業務用」、「使用」の概念を用いることにより、業務用または使用の目的のために使用される携帯可能なコンピュータまたは定置のコンピュータを表現することができる。
【００４２】
通信装置に関する記述の右隣の列には優先情報に関する列が設けられており（ここでは３つのエントリ）、この優先情報にはどの通信手段ないしどの通信アドレスを介して、したがってどの通信装置を介してユーザはコンタクトを取ることを所望するかが表されている。図３に示した場合では、ここではプレゼンティティと解することができるユーザが移動電話よりも業務用の固定網電話を介してアクセスされることを望む。さらに、私用の固定網コネクションはアクセスできないことが示されている。
【００４３】
所定の通信手段に関する傾向を明示的に表すことは、種々の通信手段に対する傾向を示唆する優先属性に基づき行われる。属性フィールドは例えば指定「所望」、「不所望」または「緊急時のみ」を内容とすることができる。図３に示されているように、ユーザは「Instant Messaging Service」（インターネットを介する「インスタントメッセージングサービス」）または業務用の電話コネクションを介してコンタクトが取られることを望む。さらにはユーザは私用のＥメールアドレスを介してＥメールを受け取ることを所望しない。したがってユーザは自身にとって好ましい通信手段を挙げることができ、別の通信装置ないし端末機器を優先度に応じて上から下に向かってリスト化することができる。既に言及したように、所定の通信情報をここではプレゼンスプロファイルであるプロファイルに統合することができ、これらのプロファイルは例えば時間区分、所在地などのようなそれぞれのユーザの「ほぼ静的な」条件に適応されている。
【００４４】
殊に移動電話のような移動通信装置の場合には、この移動通信装置の目下の場所ないし国または移動装置がログインしている通信網を知ることは有利であることを言及しておく。この現在地情報を通信網へのログインの際または位置決定サービスなどによって検出することができ、移動通信装置の場合には移動通信装置に関する通信情報（例えば滞在国「ドイツ」、「オーストラリア」の記述）に設けることができる。例えばユーザが別のユーザの通信情報に基づき、この別のユーザは移動無線のコストが高い外国にいることを識別すると、ユーザはコストを節約するために自身の移動電話を介して別のユーザとアクセすることを思いとどまることができる。
【００４５】
図４には、ユーザないしこのユーザに対応付けられている通信ユニットの通信情報の別の一覧が示されているが、業務用の通信手段ないし通信装置についての記述が設けられていないので、この一覧は「余暇」の表題が付けられたプレゼンスプロファイルを表す。個々の列ないし行の意味は図３に関連させて説明したので、図４の詳細な説明は省略する。
【００４６】
ユーザが相応の通信情報を自身の通信装置のうちの１つにおいて作成、編集して、通信システムを介して公開することも可能である。既に言及したように、通信情報並びに上述したプロファイル（プレゼンスプロファイル、伝送プロファイル、使用者プロファイル）を、通信システムの構成要素として設けられている、「インスタントメッセージング及びプレゼンスサービス」のようなプレゼンスサービスのいわゆるプレゼンスサーバ（「Presence Server」）に格納することは有利である。プレゼンスサーバは例えば移動無線網において、ＨＬＲ（HLR : Home Location Register）の一部、すなわちＰＬＭＮ（PLMN : Public Land Mobile Network）の加入者のメインデータを包含するデータバンク支援型の処理ユニットの一部として、または移動無線網ないし他の通信網における独立の装置としても構成されている。殊に、ユーザが移動電話を有する場合には、ユーザは事前に作成されたプロファイルをアクティブにするために、僅かなリソース消費でもってエアインタフェースを介して命令をプレゼンスサーバに送信することができ、その結果所定の通信情報を別のユーザ（ウォッチャ）に転送することができる。
【００４７】
既に言及したように、ユーザは本発明によるプレゼンスシステムにおいて、全ての通信情報またはこれらの通信情報のうちの一部のみを通信システムを介して公開することができる。第１の変形（全ての通信情報を公開する）は別のユーザ（ウォッチャ）に第１のユーザ（プレゼンティティ）の可能性についての全体的な概観を与えることを可能にする。そのような場合には目下アクセス不能な通信装置ないし端末機器に関する情報も有用となるであろう。例えば第２のユーザは、第１のユーザに目下Ｅメールアドレスを介してアクセスすることができず、したがってＥメールは即座に読まれないにもかかわらず、Ｅメールをこの第１のユーザの私的なメールボックスに送信することを決定することができる。相応にして、第２のユーザが希望及び既存のリソースに応じて、第１のユーザの全てのプレゼンス情報を要求できるか、例えば目下アクセス可能な通信手段ないし通信装置に関する情報のみを要求できることは有利である。（例えば伝送プロファイルにおける）呼び出すべき通信情報を選択する別の可能性は通信手段に関して生じ、第２のユーザは自身の通信端末機器が支援する通信手段についての情報のみを要求することができる。例えば、第２のユーザがＭＭＳ機能を備えた通信装置を有していない場合には、ＭＭＳに関する情報は無関係である可能性もある。
【００４８】
図２にユーザＢ２として表されている第２のユーザが第１のユーザＢ１の通信情報を問い合わせようとする場合には、第２のユーザは自身の通信装置Ｖ２１から問合せ命令を通信システムＫ（殊にこの通信システムＫに設けられているプレゼンスサービス）に送信し、この通信システムＫが第２のユーザに全ての通信情報または選択された通信情報を通信装置Ｖ２１へと伝送する。有利にはこの通信装置は複数行から成る表示部を有し、この表示部に第１の通信ユニットＥ１についての考えられる通信可能性を整然と表すことができる。第２の通信ユニットＥ２ないし第２のユーザＢ２には、第１の通信ユニットＥ１の通信情報が変更された場合、自動的にこの通信情報が伝送されることも考えられる。
【００４９】
相応にして第１のユーザＢ１は、第１の通信ユニットについての通信情報Ｉ１を作成し、編集して、この通信情報を相応の装置でもって通信システムＫに伝送するために通信装置Ｖ１１及びＶ１２を使用する。通信情報を整然と表すために、また編集を容易にするために、ユーザＢ１の相応の通信装置が同様に複数行の表示部を有する場合には有利である。さらに、第１のユーザＢ１の通信装置が通信情報を上記で既に説明したプロファイルに統合するための装置を有する場合には有利である。第１のユーザＢ１がプロファイルを作成したならば、通信装置のうちの１つが通信システムにおいてプロファイルを選択ないしアクティブにするための装置を有する場合にはさらに有利である。
【図面の簡単な説明】
【００５０】
【図１】プレゼンスサービスの論理的なユニットの概略図である。
【図２】通信システムを介して第２の通信ユニットと接続されている第１の通信ユニットの概略図である。
【図３】プロファイル「オフィス」に統合されている、ユーザに対応付けられている通信ユニットの通信情報の図である。
【図４】プロファイル「余暇」に統合されている、ユーザに対応付けられている通信ユニットの通信情報の図である。
【図１】
2005505195.tif 000003
【図３】
2005505195.tif 000004
【図４】
2005505195.tif 000005
【国際公開パンフレット】
2005505195.tif 000006
2005505195.tif 000007
2005505195.tif 000008
2005505195.tif 000009
2005505195.tif 000010
2005505195.tif 000011
2005505195.tif 000012
2005505195.tif 000013
2005505195.tif 000014
2005505195.tif 000015
2005505195.tif 000016
2005505195.tif 000017
2005505195.tif 000018
2005505195.tif 000019
2005505195.tif 000020
2005505195.tif 000021
2005505195.tif 000022
2005505195.tif 000023
2005505195.tif 000024
2005505195.tif 000025
2005505195.tif 000026
2005505195.tif 000027
2005505195.tif 000028
2005505195.tif 000029
2005505195.tif 000030
2005505195.tif 000031
2005505195.tif 000032
2005505195.tif 000033
2005505195.tif 000034
2005505195.tif 000035
2005505195.tif 000036
2005505195.tif 000037
2005505195.tif 000038
2005505195.tif 000039
2005505195.tif 000040
2005505195.tif 000041
2005505195.tif 000042
【国際公開パンフレット（コレクトバージョン）】
2005505195.tif 000043
2005505195.tif 000044
【国際調査報告】
2005505195.tif 000045
2005505195.tif 000046
2005505195.tif 000047
2005505195.tif 000048
2005505195.tif 000049
2005505195.tif 000050